(57)【要約】【課題】複数人から分担金額を徴収し管理することができる。【解決手段】情報処理装置３０は、制御部３１と記憶部３２とを備える。記憶部３２は、精算取引の要求を行う利用者の識別情報である利用者識別情報と口座番号とを対応づけて記憶する。制御部３１は、精算取引の要求と、精算取引における精算金額と、精算金額を分担して支払う精算人数とを受け付け、精算取引を識別する取引識別情報を生成し、精算人数で精算金額を分担して支払う精算取引をそれぞれ識別する分担識別情報を生成し、取引識別情報と、分担識別情報とを精算取引の要求の送信元に送信し、送信元から分担識別情報ごとの精算金額の分担金額を送信元から受け付け、分担金額の支払いを受け付けた精算機から分担識別情報と支払われた支払金額とを受け付け、精算取引の要求を行った利用者の利用者識別情報に対応する口座番号に支払金額の振込処理の指示を送信する。【選択図】図１
2020052878.tif 000002
【特許請求の範囲】
【請求項１】
精算取引の要求を行う利用者の識別情報である利用者識別情報と口座番号とを対応づけて記憶した記憶部と、
前記精算取引の要求と、前記精算取引における精算金額と、前記精算金額を分担して支払う精算人数とを受け付け、
前記精算取引を識別する取引識別情報を生成し、前記精算人数で前記精算金額を分担して支払う精算取引をそれぞれ識別する分担識別情報を生成し、
前記取引識別情報と、前記分担識別情報とを前記精算取引の要求の送信元に送信し、
前記送信元から前記分担識別情報ごとの前記精算金額の分担金額を前記送信元から受け付け、
前記分担金額の支払いを受け付けた精算機から前記分担識別情報と支払われた支払金額とを受け付け、
前記精算取引の要求を行った前記利用者の前記利用者識別情報に対応する前記口座番号に前記支払金額の振込処理の指示を送信する制御部とを備える、
情報処理装置。
【請求項２】
前記制御部は、
前記精算機から前記分担識別情報と前記支払金額とともに支払方法を受け付け、
前記支払方法がカードを用いた支払方法である場合、前記カードのカード種別、前記カードのカード番号を前記精算機から受け付け、
前記精算機から受け付けた情報に基づき前記カードの決済処理の指示を決済情報処理装置に送信し、
前記決済情報処理装置から前記決済処理が完了した旨と手数料の振込処理が完了した旨の通知とを受信する、
請求項１記載の情報処理装置。
【請求項３】
前記制御部は、
前記精算機から前記分担識別情報と前記支払金額とともに支払方法を受け付け、
前記支払方法がカードを用いた支払方法である場合、前記カードのカード種別、前記カードのカード番号を前記精算機から受け付け、
手数料の振込処理を行い、
前記精算機から受け付けた情報に基づき前記カードの決済処理の指示と、前記手数料の振込処理が完了した旨の通知を、決済情報処理装置に送信し、
前記決済情報処理装置から前記決済処理が完了した旨の通知とを受信する、
請求項１記載の情報処理装置。
【請求項４】
前記制御部は、
前記支払金額の振込処理の指示を銀行情報処理装置に送信し、
前記銀行情報処理装置から前記支払金額の前記振込処理が完了した旨と手数料の振込処理が完了した旨の通知とを受信する、
請求項１記載の情報処理装置。
【請求項５】
前記制御部は、
手数料の振込処理を行い、
前記支払金額の振込処理の指示と、前記手数料の振込処理が完了した旨の通知を、銀行情報処理装置に送信し、
前記銀行情報処理装置から前記支払金額の前記振込処理が完了した旨の通知を受信する、
請求項１記載の情報処理装置。
【請求項６】
前記制御部は、
前記分担識別情報ごとに、前記分担金額と、前記分担金額の支払いの有無と、前記分担金額の支払い日時とをメンバー情報として前記記憶部に記録し、
前記利用者から前記取引識別情報に対応する情報の閲覧要求を受け付けた場合、前記メンバー情報を提示する、
請求項１記載の情報処理装置。
【請求項７】
情報処理装置と精算機とを含む情報処理システムであって、
前記情報処理装置は、
精算取引の要求を行う利用者の識別情報である利用者識別情報と口座番号とを対応づけて記憶した記憶部と、
前記精算取引の要求と、前記精算取引における精算金額と、前記精算金額を分担して支払う精算人数とを受け付け、
前記精算取引を識別する取引識別情報を生成し、前記精算人数で前記精算金額を分担して支払う精算取引を識別する分担識別情報を生成し、
前記取引識別情報と、前記分担識別情報とを前記精算取引の要求の送信元に送信し、
前記送信元から前記分担識別情報ごとの前記精算金額の分担金額を前記送信元から受け付け、
前記分担金額の支払いを受け付けた前記精算機から前記分担識別情報と支払われた支払金額とを受け付け、
前記精算取引の要求を行った前記利用者の前記利用者識別情報に対応する前記口座番号に前記支払金額の振込の指示を送信する制御部とを備え、
前記精算機は、
前記分担識別情報と前記分担識別情報に対応する前記分担金額の支払いを受け付ける受付部と、
前記分担識別情報と前記支払金額とを前記情報処理装置に送信する制御部とを備える、
情報処理システム。
【発明の詳細な説明】
【技術分野】
【０００１】
本発明は、情報処理装置および情報処理システムに関する。
【背景技術】
【０００２】
代金精算を行う装置として、レジスタやＰＯＳ（Point Of Sales）端末が知られている。商品の代金を精算する際に、顧客が１人で代金を精算するだけでなく、複数人のグループで代金を精算する場合がある。
【０００３】
このような、複数人で代金を精算する場合において、割り勘による代金精算処理業務の円滑化を図る技術が知られている。たとえば、代金精算時に、支払人ごとに支払方法（現金払い、クレジットカード払い、デビットカード払い、プリペイドカード払い等）が入力部により指定されると、支払人ごとに指定された支払方法に従って、各支払人に対する割り勘代金の決済を行う技術が知られている。
【先行技術文献】
【特許文献】
【０００４】
【特許文献１】特開２００３−９９６８５号公報
【発明の概要】
【発明が解決しようとする課題】
【０００５】
しかしながら、従来技術は、レジスタやＰＯＳ端末における精算時における割り勘代金の精算方法であり、商品の購入後における複数人による代金の分担に関することは考慮されていなかった。
【０００６】
近年、業務用スーパーマーケットや会員制スーパーマーケットで商品をまとめ買いし、買い物を終えた後において複数人で商品を分けて購入代金を分担する、商品購入後のシェアを行う個人が増えてきている。また、従来から、町内会やクラブ活動等において複数人から会費を徴収する場合や、記念品を１つ購入し複数人で代金を分担する場合がある。
【０００７】
このように、店舗のレジスタやＰＯＳ端末における代金の精算時以外における複数人からの費用徴収については、人手で行われることが多く、手間がかかることが多かった。また、費用を分担して支払う人数の増加に伴い、誰がいつ幾らを支払ったのか等について管理する必要が生じるため、費用の立替を行った者や町内会やクラブ活動等の会計係は、費用分担および徴収の管理に関して時間と労力を費やしていた。また、個人間における費用徴収は、原則として現金のみで行われるため、支払う側であるメンバーには支払方法の選択肢がなかった。
【０００８】
このような状況に対処するため、複数人から分担金額を徴収し管理することができる技術が望まれている。
一側面では、本発明は、複数人から分担金額を徴収し管理することができる情報処理装置および情報処理システムを提供することを目的とする。
【課題を解決するための手段】
【０００９】
上記目的を達成するために、以下に示すような情報処理装置を提供する。情報処理装置は、記憶部と制御部とを備える。記憶部は、精算取引の要求を行う利用者の識別情報である利用者識別情報と口座番号とを対応づけて記憶する。制御部は、精算取引の要求と、精算取引における精算金額と、精算金額を分担して支払う精算人数とを受け付け、精算取引を識別する取引識別情報を生成し、精算人数で精算金額を分担して支払う精算取引をそれぞれ識別する分担識別情報を生成し、取引識別情報と、分担識別情報とを精算取引の要求の送信元に送信し、送信元から分担識別情報ごとの精算金額の分担金額を送信元から受け付け、分担金額の支払いを受け付けた精算機から分担識別情報と支払われた支払金額とを受け付け、精算取引の要求を行った利用者の利用者識別情報に対応する口座番号に支払金額の振込処理の指示を送信する。
【発明の効果】
【００１０】
一態様によれば、複数人から分担金額を徴収し管理することができる。
【図面の簡単な説明】
【００１１】
【図１】第１の実施形態の情報処理システムの一例を示す図である。
【図２】第２の実施形態の情報処理システムの一例を示す図である。
【図３】第２の実施形態の精算サーバのハードウェア構成の一例を示す図である。
【図４】第２の実施形態のシェア精算機のハードウェア構成の一例を示す図である。
【図５】第２の実施形態の精算システムのイメージの一例を示す図である。
【図６】第２の実施形態のシェア精算機の表示画面の一例を示す図である（その１）。
【図７】第２の実施形態のシェア精算機の表示画面の一例を示す図である（その２）。
【図８】第２の実施形態の利用者管理情報の一例を示す図である。
【図９】第２の実施形態の精算管理情報の一例を示す図である。
【図１０】第２の実施形態の精算処理のシーケンスの一例を示す図である。
【発明を実施するための形態】
【００１２】
以下、図面を参照して実施の形態を詳細に説明する。
［第１の実施形態］
まず、第１の実施形態の情報処理システムについて図１を用いて説明する。図１は、第１の実施形態の情報処理システムの一例を示す図である。
【００１３】
情報処理システム９０は、少なくとも２名以上の利用者が現金や電子マネーやポイントカードやクレジットカード等を用いて支払うことで精算を行う精算システムを実現する。情報処理システム９０は、精算機１０、情報処理装置３０、決済情報処理装置４０、銀行情報処理装置５０を含む。なお、利用者が用いる端末２０ａ，２０ｂ，２０ｃは、必須の構成要素ではない。
【００１４】
精算機１０と情報処理装置３０とは、情報通信が可能でありネットワークを介してアクセス可能になっている。情報処理装置３０は、端末２０ａ，２０ｂ，２０ｃ、決済情報処理装置４０および銀行情報処理装置５０と情報通信が可能であり、ネットワークを介してアクセス可能になっている。ネットワークは、有線ネットワークであってもよいし無線ネットワークであってもよい。
【００１５】
精算機１０は、利用者（リーダー）が精算取引の要求を行った精算金額について、他の利用者（メンバー）から精算金額を分担して支払う分担金額を徴収する機能を備えた装置である。情報処理システム９０を用いた精算取引において、精算取引を要求する者をリーダーと記載し、精算取引における精算金額を分担した分担金額を支払う者をメンバーと記載するものとする。精算機１０は、現金および現金以外の支払方法による入金受付機能を備えた装置である。精算機１０は、店舗、金融機関、公共機関、学校、オフィスビル、商業施設等に設置可能である。
【００１６】
精算機１０は、制御部１１、表示受付部１２、カード受付部１３、現金受付部１４等を備える。制御部１１は、精算機１０全体を制御するものであり、たとえば、プロセッサ等である。制御部１１は、表示受付部１２で受け付けた顧客の操作に基づいて、精算機１０を制御することができる。
【００１７】
制御部１１は、精算取引の要求を情報処理装置３０に送信し、情報処理装置３０から精算取引の要求に対応する取引識別情報、分担識別情報を受信し、表示受付部１２に表示する。取引識別情報は、精算取引を識別する識別情報であり、情報処理装置３０で生成される情報である。分担識別情報は、精算金額を分担して支払う精算取引をそれぞれ識別する分担識別情報であり、情報処理装置３０で生成される情報である。また、制御部１１は、表示受付部１２を介して分担識別情報ごとの分担金額を受け付け、情報処理装置３０に送信する。
【００１８】
表示受付部１２は、各種の情報を表示し、顧客から入力された指示を受け付けるものである。表示受付部１２は、たとえば、精算機１０の外面に設けられた、ディスプレイおよびタッチパネルである。
【００１９】
カード受付部１３は、精算機１０を利用する顧客からカード（ポイントカード、プリペイドカード、クレジットカード等）を受け付け、カードに記録された情報を読み取る。カードは、磁気カードであってもＩＣ（Integrated Circuit）カードであってもよい。カードに記録された情報とは、カードの種類を識別する情報や、カードの番号等である。
【００２０】
現金受付部１４は、利用者から分担金額の入金を受け付ける。現金受付部１４は、精算機１０において入金する紙幣および硬貨を受け付け、出金するお釣の紙幣および硬貨を排出する機能を備える。
【００２１】
なお、精算機１０は、ＨＤＤ（Hard Disk Drive）や各種メモリ等の記憶部も備えるが、図示を省略する。また、精算機１０は、精算識別情報、分担識別情報、分担識別情報ごとの分担金額等をレシートに印刷およびレシートを排出可能なレシート部も備えるが、図示を省略する。
【００２２】
端末２０ａ，２０ｂ，２０ｃは、利用者が用いる携帯端末である。端末２０ａ，２０ｂ，２０ｃは、たとえば、スマートフォンやタブレット型コンピュータ、スマートウォッチ等である。精算取引を要求する利用者Ａが端末２０ａを利用する。利用者Ｂが端末２０ｂを利用し、利用者Ｃが端末２０ｃを利用するものとする。端末２０ａ，２０ｂ，２０ｃは、精算取引を行うために用いるアプリケーションプログラム（以下、アプリと記載する。）を実行する。端末２０ａ，２０ｂ，２０ｃは、情報を閲覧可能なブラウザや、メッセージの送受信が可能なメールソフト等を実行する。
【００２３】
端末２０ａは、精算取引の要求を情報処理装置３０に送信し、情報処理装置３０から精算取引の要求に対応する取引識別情報、分担識別情報を受信し、表示受付部１２に表示する。また、端末２０ａは、分担識別情報ごとの分担金額を受け付け、情報処理装置３０に送信する。端末２０ｂ，２０ｃは、端末２０ａから分担識別情報と分担金額とを受信し、表示する。こうして、利用者Ａは、精算金額を分担して支払う分担金額をメンバーに通知し、利用者Ｂおよび利用者Ｃは、各自の分担金額を把握し、分担金額を精算機１０に入金する。なお、端末２０ａ，２０ｂ，２０ｃの機能は、利用者が精算機１０を用いる場合、精算機１０で代替が可能である。
【００２４】
情報処理装置３０は、精算機１０から要求された処理を実行する機能を備えたコンピュータである。情報処理装置３０は、制御部３１、記憶部３２を備える。なお、情報処理装置３０は、システム管理者が操作するための入出力部等も備えるが図示を省略する。
【００２５】
制御部３１は、情報処理装置３０全体を制御するものであり、たとえば、プロセッサ等である。記憶部３２は、情報処理装置２０に備えられるＨＤＤや各種メモリ等である。制御部３１は、精算機１０と情報通信を行う。また、制御部３１は、記憶部３２に対し情報の記憶および読み出しが可能である。制御部３１は、精算機１０または端末２０ａから精算取引の要求を受信し、要求に応じた処理を実行する。
【００２６】
制御部３１は、精算機１０または端末２０ａから精算取引の要求、精算金額、精算人数を受信する。制御部３１は、取引識別情報と分担識別情報を生成し、精算取引の要求元へ通知する。制御部３１は、分担識別情報ごとの分担金額を要求元から受信し、記憶部３２に記憶する。制御部３１は、精算機１０から精算取引についての分担金額を入金した入金情報を受信し、記憶部３２に記憶する。
【００２７】
制御部３１は、精算機１０から受信した情報に基づき、決済情報処理装置４０に決済処理を指示し、銀行情報処理装置５０に振込処理を指示する。
決済情報処理装置４０は、情報処理装置３０から受信した情報に基づき、決済処理を実行するコンピュータである。決済情報処理装置４０は、ポイントと現金との換金や、利用料金（入金金額）に応じたポイントの付与や、電子マネーや仮想通貨の口座処理や、クレジットカードの決済処理等を行う。決済情報処理装置４０は、決済処理に応じた手数料を運営口座に振り込み、決済処理が完了した旨の通知と手数料を入金した旨の通知を情報処理装置３０に送信する。運営口座とは、情報処理システム９０における情報処理装置３０を用いて決済システムを提供する運営会社の口座である。なお、情報処理装置３０が決済情報処理装置４０に対して、決済情報処理装置４０の運営会社の口座に決済処理に応じた手数料の振り込みを行うとともに、振込処理の通知を行ってもよい。
【００２８】
銀行情報処理装置５０は、情報処理装置３０から受信した情報に基づき、振込処理を実行するコンピュータである。銀行情報処理装置５０は、情報処理装置３０から指示された口座に振込処理を実行する。銀行情報処理装置５０は、振込処理に応じた手数料を運営口座に振り込み、振込処理が完了した旨の通知と手数料を入金した旨の通知を情報処理装置３０に送信する。なお、情報処理装置３０が銀行情報処理装置５０に対して、銀行情報処理装置５０の運営会社の口座に振込処理に応じた手数料の振り込みを行うとともに、振込処理の通知を行ってもよい。
【００２９】
ここで、情報処理システム９０を適用した精算処理について説明する。利用者Ａが、商品をまとめ買いし、利用者Ａ、利用者Ｂおよび利用者Ｃと商品をシェアし、利用者Ａが立て替えた購入代金を利用者Ｂおよび利用者Ｃが分担して支払うものとする。利用者Ａが精算取引を要求するリーダーであり、利用者Ｂおよび利用者Ｃが分担金額を支払うメンバーである。
【００３０】
利用者Ａは、予め情報処理装置３０に利用者登録を行っているものとする。情報処理装置３０は、利用者Ａの利用者識別情報（ユーザＩＤ）と精算金額を振り込む銀行の口座番号とを対応づけて記憶部３２に記憶しているものとする。
【００３１】
（１）利用者Ａは、端末２０ａまたは精算機１０を操作し、精算取引の要求と、精算取引における精算金額と、精算金額を分担して支払う精算人数とを情報処理装置３０の制御部３１に送信する。ここで、精算金額は、２０００円であり、精算人数は２人であるものとする。
【００３２】
（２）制御部３１は、精算取引の要求と、精算金額と、精算人数とを受け付け、精算取引を識別する取引識別情報を生成し、精算人数で精算金額を分担して支払う精算取引をそれぞれ識別する分担識別情報を生成する。
【００３３】
制御部３１は、取引識別情報と、分担識別情報とを精算取引の要求の送信元に送信する。制御部３１は、利用者Ａが端末２０ａを用いて精算取引の要求を行った場合、端末２０ａに取引識別情報と分担識別情報とを送信する。また、制御部３１は、利用者Ａが精算機１０を用いて精算取引の要求を行った場合、精算機１０に取引識別情報と分担識別情報とを送信する。
【００３４】
（３）端末２０ａまたは精算機１０は、制御部３１から受信した分担識別情報を画面に表示し、分担識別情報ごとの分担金額の入力を促す。利用者Ａは、端末２０ａまたは精算機１０を操作し、分担識別情報ごとの分担金額を入力する。端末２０ａまたは精算機１０は、端末２０ａまたは精算機１０から入力された分担識別情報ごとの分担金額を情報処理装置３０に送信する。制御部３１は、送信元から分担識別情報ごとの分担金額を受け付け、記憶部３２に記憶する。
【００３５】
（４）利用者Ａは、分担識別情報と分担金額を利用者Ｂおよび利用者Ｃに通知する。なお、利用者Ａが端末２０ａを用いる場合、端末２０ａは、アプリやメール機能等で利用者Ｂおよび利用者Ｃに通知する。また、利用者Ａが精算機１０を用いる場合、精算機１０は、分担識別情報ごとの分担金額をレシートで印刷して排出する。利用者Ａは、分担識別情報ごとの分担金額が印刷レシートを利用者Ｂおよび利用者Ｃに配布することで通知する。ここで、利用者Ｂの分担金額が１５００円であり、利用者Ｃの分担金額が５００円であるものとする。
【００３６】
（５）利用者Ｂは、精算機１０の表示受付部１２を操作し、利用者Ａから付与された分担識別情報と分担金額（１５００円）を入力し、入金操作を行う。利用者Ｂは、カード受付部１３にポイントカードを読み取らせ、ポイントで分担金額を支払う。精算機１０は、カード受付部１３を介して、カードの情報（カード種別、カード番号）を読み取り、制御部３１に送信する。
【００３７】
（６）利用者Ｃは、精算機１０の表示受付部１２を操作し、利用者Ａから付与された分担識別情報と分担金額（５００円）を入力し、入金操作を行う。利用者Ｃは、現金受付部１４に硬貨を投入し、現金で分担金額を支払う。
【００３８】
（７）制御部３１は、分担金額の支払いを受け付けた精算機１０から分担識別情報と支払われた支払金額とを受け付け、メンバーごとに記憶部３２に記憶する。制御部３１は、メンバーの入金情報を受信するごとに、端末２０ａにその旨を送信できる。利用者Ａは、端末２０ａで入金情報の通知を受信することで、誰がいつ分担金額を入金したのかを把握することができる。このため、利用者Ａは、メンバーが多人数であっても入金に関する管理が容易になる。
【００３９】
（８）制御部３１は、精算機１０から分担識別情報と支払金額とともに支払方法を受け付け、支払方法がカードを用いた支払方法である場合、カードのカード種別、カードのカード番号を精算機１０から受け付ける。制御部３１は、精算機１０から受け付けた情報に基づきカードの決済処理の指示を決済情報処理装置４０に送信する。決済情報処理装置４０は、ポイントの決済処理を実行する。
【００４０】
（９）制御部３１は、決済情報処理装置４０から決済処理が完了した旨と手数料の振込が完了した旨の通知とを受信する。
（１０）制御部３１は、精算取引の要求を行った利用者Ａの利用者識別情報に対応する口座番号に支払金額の振込処理の指示を送信する。ここで、支払金額は、利用者Ｂが精算機１０で入金した１５００円と、利用者Ｃが精算機１０で入金した５００円とを合わせた２０００円である。制御部３１は、利用者Ａの口座に２０００円の振込指示を銀行情報処理装置５０に送信する。銀行情報処理装置５０は、振込処理を実行する。
【００４１】
（１１）制御部３１は、銀行情報処理装置５０から振込が完了した旨と手数料の振込が完了した旨の通知とを受信する。制御部３１は、振込が完了した旨の通知を端末２０ａに通知できる。また、制御部３１は、所定期間内に分担金額の入金が行われない場合、その旨を端末２０ａに通知できる。利用者Ａは、端末２０ａで制御部３１の通知を受信し、精算処理の状態を把握できる。
【００４２】
こうして、情報処理システム９０を用いることにより、利用者からの分担金額の徴収に際し、電子マネーやポイント、クレジットカード等の現金以外の入金も受け付けることが可能であるため、従来の個人間における現金のみの集金と比較して利便性が向上する。これにより、個人間における分担金の支払（割り勘した金額の集金）や、町内会費や自治会費やＰＴＡ会費の徴収など、複数人から集金を行う場合における労力や時間を低減できる。
【００４３】
このように、情報処理システム９０は、複数人から分担金額を徴収し管理することができる。
［第２の実施形態］
次に、第２の実施形態として、精算機１０をシェア精算機に適用し、情報処理装置３０を精算サーバ３００に適用した情報処理システムについて図２を用いて説明する。図２は、第２の実施形態の情報処理システムの一例を示す図である。
【００４４】
情報処理システム６００は、少なくとも２名以上の利用者が現金や電子マネーやポイントやクレジットカード等を用いて支払うことで精算を行う精算システムを実現する。情報処理システム６００は、１台以上のシェア精算機１００（図２ではその内の１台を図示）と各種サーバとを備える。シェア精算機１００は、ネットワーク６１０を介して精算サーバ３００と接続している。精算サーバ３００は、ネットワーク６１０を介して端末２００、決済サーバ４００および銀行サーバ５００と情報通信可能である。
【００４５】
シェア精算機１００は、利用者から分担金額を回収する依頼（精算処理の依頼）を受け付け、１以上の利用者から分担金額を徴収する機能を備えた装置である。シェア精算機１００は、現金および現金以外の支払方法による入金受付機能を備えた装置である。なお、シェア精算機１００を用いた精算処理の処理イメージについては、後で図５を用いて説明する。
【００４６】
シェア精算機１００は、顧客操作部１２０と、カード部１３０と、レシート部１４０と、テンキー入力部１５０と、紙幣処理部１６０と、硬貨処理部１７０と、バーコード処理部１８０とを有する。
【００４７】
顧客操作部１２０は、ディスプレイとタッチパネルを有し、操作の案内と、指示の受け付けとを行う。
カード部１３０は、ポイントカード、クレジットカード等のカードを用いる精算において、挿入されたカードの情報を読み取る。また、レシート部１４０は、精算終了時におけるレシートの印刷および排出を行う。
【００４８】
テンキー入力部１５０は、数字等を入力するボタンを備え、顧客操作部１２０のタッチパネルと協働して顧客（利用者）の指示を受け付ける。たとえば、テンキー入力部１５０は、カード等を認証するための暗証番号や、生産内容の選択や、精算金額等の入力を受け付けることができる。
【００４９】
紙幣処理部１６０は、入金および出金取引の際に、紙幣の受け渡しを処理する。硬貨処理部１７０は、入金および出金取引の際に、硬貨の受け渡しを処理する。バーコード処理部１８０は、バーコード（２次元バーコードを含む）を読み取る機能を有する。
【００５０】
端末２００は、利用者が用いるコンピュータであり、たとえば、スマートフォンやタブレット型コンピュータ等である。端末２００は、シェア精算機１００で精算を行うために用いるアプリケーションプログラム（以下、アプリと記載する）を実行する機能を備える。端末２００は、精算サーバ３００と情報通信を行う機能を備える。
【００５１】
精算サーバ３００は、シェア精算機１００と情報の送受信を行い、精算処理やシェア精算機１００を用いる顧客の認証処理や、シェア精算機１００を管理する機能を備えるプログラムが実行されるコンピュータである。また、精算サーバ３００は、シェア精算機１００から各種情報を受信し、データベースに記憶する。データベースは、各種情報を記憶する記憶装置であり、精算サーバ３００からアクセス可能になっている。なお、データベースは、図示を省略する。また、精算サーバ３００は、決済サーバ４００に決済処理の指示を送信する機能や、銀行サーバ５００に振込処理の指示を送信する機能を備える。
【００５２】
決済サーバ４００は、精算サーバ３００を介して受け付けた精算処理を実行する機能を備える。銀行サーバ５００は、精算サーバ３００を介して受け付けた振込処理を実行する機能を備える。なお、決済サーバ４００および銀行サーバ５００は、その他の金融機関のサーバと置き換えることも可能である。
【００５３】
次に、第２の実施形態の精算サーバについて図３を用いて説明する。図３は、第２の実施形態の精算サーバのハードウェア構成の一例を示す図である。
精算サーバ３００は、制御部３１０を含む。制御部３１０は、プロセッサ３１１、ＲＡＭ（Random Access Memory）３１２、ＨＤＤ３１３、画像信号処理部３１４、入力信号処理部３１５、媒体リーダ３１６、通信インタフェース３１７を含む。精算サーバ３００は、プロセッサ３１１によって装置全体が制御されている。プロセッサ３１１には、バス３１８を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００５４】
ＲＡＭ３１２は、精算サーバ３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００５５】
バス３１８に接続されている周辺機器としては、ＨＤＤ３１３、画像信号処理部３１４、入力信号処理部３１５、媒体リーダ３１６および通信インタフェース３１７がある。
ＨＤＤ３１３は、内蔵したディスクに対して、磁気的にデータの書き込みおよび読み出しを行う。ＨＤＤ３１３は、精算サーバ３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリ等の半導体記憶装置を使用することもできる。
【００５６】
画像信号処理部３１４は、プロセッサ３１１からの命令に従って、精算サーバ３００に接続されたディスプレイ３１４ａに画像を出力する。ディスプレイ３１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００５７】
入力信号処理部３１５は、精算サーバ３００に接続された入力デバイス３１５ａから入力信号を取得し、プロセッサ３１１に出力する。入力デバイス３１５ａとしては、マウス、タッチパネル、タッチパッド、トラックボール、キーボード、リモートコントローラ、ボタンスイッチ等、任意の種類の入力デバイスを用いることができる。また、精算サーバ３００に、複数の種類の入力デバイスが接続されていてもよい。
【００５８】
媒体リーダ３１６は、記録媒体３１９に記録されたプログラムやデータを読み取る読み取り装置である。記録媒体３１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００５９】
媒体リーダ３１６は、たとえば、記録媒体３１９から読み取ったプログラムやデータを、ＲＡＭ３１２やＨＤＤ３１３等の他の記録媒体にコピーする。読み取られたプログラムは、たとえば、プロセッサ３１１によって実行される。なお、記録媒体３１９は可搬型記録媒体であってもよく、プログラムやデータの配布に用いられることがある。また、記録媒体３１９やＨＤＤ３１３を、コンピュータ読み取り可能な記録媒体と言うことがある。
【００６０】
通信インタフェース３１７は、ネットワーク６１０に接続されている。通信インタフェース３１７は、他のコンピュータ、記憶装置、または通信機器との間でデータの送受信を行う。通信インタフェース３１７は、有線ネットワーク、無線ネットワークを問わない。
【００６１】
以上のようなハードウェア構成によって、第２の実施形態の精算サーバ３００の処理機能を実現することができる。なお、第１の実施形態の端末２０ａ，２０ｂ，２０ｃ、情報処理装置３０、決済情報処理装置４０、銀行情報処理装置５０も、図３に示した精算サーバ３００のハードウェア構成で実現できる。また、第２の実施形態の決済サーバ４００、銀行サーバ５００、端末２００も、図３に示した精算サーバ３００のハードウェア構成で実現できる。
【００６２】
なお、上記の構成は一例であり、構成部の組み合わせは適宜決定できる。たとえば、端末２００は、ディスプレイ３１４ａを本体と一体型の液晶パネルとし、入力デバイス３１５ａを本体と一体型のタッチパネルとしてもよい。また、上記構成のうち必要のないものを削除するとしてもよい。
【００６３】
精算サーバ３００は、たとえばコンピュータ読み取り可能な記録媒体に記録されたプログラムを実行することにより、第２の実施形態の処理機能を実現する。精算サーバ３００に実行させる処理内容を記述したプログラムは、様々な記録媒体に記録しておくことができる。たとえば、精算サーバ３００に実行させるプログラムをＨＤＤ３１３に記憶しておくことができる。プロセッサ３１１は、ＨＤＤ３１３内のプログラムの少なくとも一部をＲＡＭ３１２にロードし、プログラムを実行する。また、精算サーバ３００に実行させるプログラムを、光ディスク、メモリ装置、メモリカード等の可搬型記録媒体に記録しておくこともできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００６４】
次に、第２の実施形態のシェア精算機について図４を用いて説明する。図４は、第２の実施形態のシェア精算機のハードウェア構成の一例を示す図である。
シェア精算機１００は、制御部１１０と、ディスプレイ１２０ａと、タッチパネル１２０ｂと、カード処理ユニット１３０ａと、レシート処理ユニット１４０ａと、テンキー処理ユニット１５０ａと、紙幣処理ユニット１６０ａと、硬貨処理ユニット１７０ａと、バーコード処理ユニット１８０ａとを有する。
【００６５】
制御部１１０は、プロセッサ１１１、ＲＡＭ１１２、ＨＤＤ１１３、通信インタフェース１１４、表示処理ユニット１１５、タッチパネル処理ユニット１１６およびＩ／Ｏ（Input／Output）制御部１１７を有し、各々がバス１１８を介して接続されている。
【００６６】
プロセッサ１１１は、シェア精算機１００の全体動作を制御する。プロセッサ１１１は、たとえばＣＰＵ、ＭＰＵ等である。プロセッサ１１１は、カード処理ユニット１３０ａを介して取得したカード情報（カードブランド名またはカード取り扱い金融機関名、カード番号等）をＨＤＤ１１３等の記憶部に記憶する。また、プロセッサ１１１は、精算サーバ３００にカードから読み取った情報を送信する。
【００６７】
ＲＡＭ１１２には、プロセッサ１１１に実行させるＯＳのプログラムやアプリケーションプログラムの少なくとも一部が一時的に格納される。また、ＲＡＭ１１２には、プロセッサ１１１による処理に必要な各種データが格納される。
【００６８】
ＨＤＤ１１３には、ＯＳやアプリケーションプログラムや精算情報等を格納できる。また、ＨＤＤ１１３は、ＳＳＤ等他の記憶装置でも代用可能である。
通信インタフェース１１４は、外部のネットワーク６１０に接続され、精算サーバ３００等との間でデータの送受信を行う。また、通信インタフェース１１４は、精算サーバ３００へ暗証番号や精算情報等を送受信できる。
【００６９】
表示処理ユニット１１５には、ディスプレイ１２０ａが接続される。ディスプレイ１２０ａは、タッチパネル１２０ｂとともに顧客操作部１２０を構成する。表示処理ユニット１１５は、プロセッサ１１１の制御の下に、操作案内等の各種情報をディスプレイ１２０ａの画面に表示させる。
【００７０】
タッチパネル処理ユニット１１６には、タッチパネル１２０ｂが接続される。タッチパネル１２０ｂは、ディスプレイ１２０ａの上層に形成される。タッチパネル処理ユニット１１６は、顧客の指がタッチパネル１２０ｂに接触あるいは接近した画面上の位置を検出し、プロセッサ１１１に通知する。
【００７１】
Ｉ／Ｏ制御部１１７には、カード処理ユニット１３０ａ、レシート処理ユニット１４０ａ、テンキー処理ユニット１５０ａ、紙幣処理ユニット１６０ａ、硬貨処理ユニット１７０ａおよびバーコード処理ユニット１８０ａが接続される。Ｉ／Ｏ制御部１１７は、プロセッサ１１１の制御の下に、接続する各部にプロセッサ１１１からの指示を通知するとともに、各部から取得した情報をバス１１８経由でプロセッサ１１１に送る。
【００７２】
カード処理ユニット１３０ａは、カード部１３０に設けられ、カードに記録された情報を読み込む。カード処理ユニット１３０ａは、磁気情報の読取部を備えてもよいし、非接触型ＩＣ（Integrated Circuit）カードの読取部を備えてもよいし、その他の読み取り装置を備えてもよい。レシート処理ユニット１４０ａは、精算内容を印刷し、明細票（レシート）として排出することが可能である。
【００７３】
テンキー処理ユニット１５０ａは、テンキー入力部１５０に設けられ、顧客が押下したボタンの情報を出力する。顧客が押下したボタンの情報には、暗証番号、精算処理で用いる情報等を含めてもよい。
【００７４】
紙幣処理ユニット１６０ａは、紙幣処理部１６０に設けられ、プロセッサ１１１の指示に従って紙幣の入出金と、扉の開閉とを制御する。硬貨処理ユニット１７０ａは、硬貨処理部１７０に設けられ、プロセッサ１１１の指示に従って硬貨の入出金と、扉の開閉とを制御する。
【００７５】
バーコード処理ユニット１８０ａは、バーコードの読み取り機能を備える。たとえば、精算処理を行う利用者を識別するユーザＩＤを２次元バーコードとして表示した端末２００の画面を読み取り、ユーザＩＤを読み取ることができる。
【００７６】
以上のようなハードウェア構成によって、第２の実施形態のシェア精算機１００の処理機能を実現することができる。なお、第１の実施形態の精算機１０も、図４に示したシェア精算機１００のハードウェア構成で実現できる。なお、上記の構成は一例であり、シェア精算機１００の構成部の組み合わせは適宜決定できる。
【００７７】
次に、第２の実施形態の精算システムの処理イメージの一例について図５を用いて説明する。図５は、第２の実施形態の精算システムの処理イメージの一例を示す図である。
精算システムの処理イメージ６５０は、情報処理システム６００を適用した精算システムにおいて精算処理を実行する際のイメージを示した一例である。情報処理システム６００と同様の構成要素については、説明を適宜省略する。
【００７８】
ここで、精算システムを利用する利用者は、リーダー、メンバーＡ、メンバーＢ、メンバーＣの４名である。リーダーが、商店で商品のまとめ買いを行い、４名で商品を分け、代金を分担するものとする。リーダー以外の３人のメンバーが、リーダーが立て替えていた商品代金（精算金額）を分担して支払うものとする。リーダーは、精算システムを利用するため、予め初期登録を行っていたものとする。
【００７９】
（１）リーダーは、端末２００で実行するアプリの機能を利用して、精算金額（３０００円）と、精算金額を分担する人数（３人）、分担金額を精算サーバ３００に通知する。なお、リーダーは、シェア精算機１００の顧客操作部１２０を操作し、精算金額、人数を入力してもよい。
【００８０】
（２）精算サーバ３００は、端末２００（または、シェア精算機１００）から、精算金額等を受け付け、取引コードを端末２００に通知する。取引コードは、精算を行う取引を識別する識別番号である。なお、取引コードには、精算取引を識別する取引コードと、精算取引に含まれる分担金額を支払う各メンバーの取引を識別するメンバー取引コードがある。
【００８１】
（３）端末２００は、精算サーバ３００から取引コードとメンバー取引コードとを受信する。また、端末２００は、精算サーバ３００からメンバー取引コードを受信したことに伴い、メンバー取引コードごとの分担金額を入力する画面を表示し、メンバー取引コードごとの分担金額を受け付ける。端末２００は、受け付けたメンバー取引コードごとの分担金額を精算サーバ３００に送信する。
【００８２】
なお、リーダーは、シェア精算機１００の顧客操作部１２０を操作し、メンバー取引コードごとの分担金額を入力してもよい。
（４）リーダーは、端末２００を介してメンバー取引コードと分担金額を各メンバー（メンバーＡ、メンバーＢ、メンバーＣ）に通知し、それぞれのメンバーに取引コードを付与（割当）する。なお、リーダーは、端末２００のアプリの機能を利用して通知してもよいし、メールで通知してもよいし、その他の方法で通知をしてもよい。なお、各メンバー３名は、端末２００ａ，２００ｂ，２００ｃをそれぞれ用いるものとする。
【００８３】
なお、リーダーが、シェア精算機１００を用いて上述（１）および（３）の処理を行った場合、シェア精算機１００のレシート部１４０からメンバー取引コードと分担金額とを印刷したレシートを排出できる。リーダーは、メンバー取引コードと分担金額とが印刷されたレシートをメンバーに配布することにより、各メンバーに通知できる。
【００８４】
（５）シェア精算機１００は、メンバーＡによる操作を受け付け、顧客操作部１２０を介してメンバーＡに付与されたメンバー取引コードの入力を受け付け、分担金額（１０００円）をポイントで支払う処理を実行する。メンバーＡは、ポイントカードをカード部１３０に読み取らせ、分担金額に対応するポイントの利用を顧客操作部１２０で確認し、ポイントを利用した支払を完了する。
【００８５】
（６）シェア精算機１００は、メンバーＢによる操作を受け付け、顧客操作部１２０を介してメンバーＢに付与されたメンバー取引コードの入力を受け付け、分担金額（５００円）をクレジットカードで支払う処理を実行する。メンバーＢは、クレジットカードをカード部１３０に読み取らせ、クレジットカードの暗証番号をテンキー入力部１５０に入力し、分担金額に対応する金額の支払を顧客操作部１２０で確認し、クレジットカードを利用した支払いを完了する。
【００８６】
（７）シェア精算機１００は、メンバーＣによる操作を受け付け、顧客操作部１２０を介してメンバーＣに付与されたメンバー取引コードの入力を受け付け、分担金額（１５００円）を現金で支払う処理を実行する。メンバーＣは、千円紙幣を紙幣処理部１６０に挿入し、５００円硬貨を硬貨処理部１７０に投入し、分担金額に対応する現金の支払を顧客操作部１２０で確認し、現金での支払いを完了する。
【００８７】
（８）シェア精算機１００は、メンバーＡ、メンバーＢ、メンバーＣによる入金情報を精算サーバ３００に送信する。なお、シェア精算機１００は、利用者ごとに入金情報を精算サーバ３００に送信する。
【００８８】
（９）精算サーバ３００は、シェア精算機１００から受信した利用者ごとの入金情報に基づき、決済データ（ポイントを用いた支払データ、クレジットカードを用いた支払データ）を決済サーバ４００に送信する。
【００８９】
決済サーバ４００は、精算サーバ３００から受信した決済データに基づき決済処理を実行する。決済サーバ４００は、ポイントを現金に換金する処理や、クレジットカードでの決済処理を実行する。また、決済サーバ４００は、利用者がポイントを利用（消費）した場合や、シェア精算機１００を利用したことに伴いポイントを獲得した場合等、ポイントの利用状況に応じてポイント数の更新を行う。
【００９０】
（１０）決済サーバ４００は、決済処理を完了した旨の通知を精算サーバ３００に送信する。また、決済サーバ４００は、精算システムの利用に応じた手数料を精算システムの運営口座に振込、手数料振込の通知を精算サーバ３００に送信する。なお、手数料の金額は、利用者の精算金額に応じて決定してもよいし、その他の方法で決定してもよい。
【００９１】
（１１）精算サーバ３００は、決済サーバ４００から決済処理を完了した旨の通知を受信した後、利用者（リーダー）の銀行口座に精算金額を振込する旨の指示を銀行サーバ５００に送信する。
【００９２】
（１２）銀行サーバ５００は、精算サーバ３００から受信した振込する旨の指示に基づき、振込処理を実行する。銀行サーバ５００は、精算金額の振込処理を完了した旨の通知を精算サーバ３００に送信する。また、銀行サーバ５００は、精算システムの利用に応じた手数料を精算システムの運営口座に振り込み、手数料振込の通知を精算サーバ３００に送信する。なお、決済サーバ４００および銀行サーバ５００が運営口座に振り込む手数料の金額や、運営口座の口座番号等は、予め決済サーバ４００および銀行サーバ５００のＨＤＤ等の記憶部に記憶されているものとする。
【００９３】
こうして、精算サーバ３００は、シェア精算機１００を介して各メンバーから分担金額を徴収し、リーダーの銀行口座に精算金額の振込を行う。情報処理システム６００を適用した精算システムを用いることで、個人間における分担金額の徴収や、町内会費の集金等に要する時間や労力を低減できる。また、精算システムの運営会社は、精算システムの利用に応じた手数料が運営口座に振り込まれ、精算システムの利用状況に応じた利益を徴収することが可能となる。
【００９４】
なお、（９）、（１０）にて、決済サーバ４００が精算サーバ３００に精算システムの利用に応じた手数料を振り込む形となっているが、手数料の振込元と振込先が逆になってもよい。つまり、精算サーバ３００が決済サーバ４００に決済データを送信する際に、精算システムの利用に応じた手数料を、決済サーバ４００の運営口座に振り込み、手数料振込の通知を決済サーバ４００に送信してもよい。
【００９５】
また、（１１）、（１２）にて、銀行サーバ５００が精算サーバ３００に精算システムの利用に応じた手数料を振り込む形となっているが、手数料の振込元と振込先が逆になってもよい。つまり、精算サーバ３００が利用者の銀行口座に精算金額を振込する旨の指示を銀行サーバ５００に送信する際に、精算システムの利用に応じた手数料を、銀行サーバ５００の運営口座に振り込み、手数料振込の通知を銀行サーバ５００に送信してもよい。
【００９６】
次に、第２の実施形態のシェア精算機１００が表示する画面の一例について図６を用いて説明する。図６は、第２の実施形態のシェア精算機の表示画面の一例を示す図である（その１）。
【００９７】
図６（Ａ）は、シェア精算機１００の顧客操作部１２０に表示される初期登録画面７００の一例である。
初期登録画面７００は、精算システムを利用する利用者が登録事項（利用者情報）を入力する画面である。初期登録画面７００は、顧客操作部１２０に表示されるトップ画面において、利用者登録の操作メニューを選択した場合に表示される画面である。なお、トップ画面については、図示を省略する。また、利用者情報には、メールアドレス、氏名、銀行コード番号、銀行口座番号が含まれるが、これらは一例であり、その他の情報を含めてもよい。
【００９８】
初期登録画面７００は、利用者からメールアドレス、氏名、銀行コード番号、銀行口座番号の入力を受け付ける入力項目を含む。メールアドレスの入力項目は、利用者にユーザＩＤや取引コードを通知する宛先（メールアドレス）を入力する項目である。氏名の入力項目は、利用者の氏名を入力する項目である。銀行コード番号の入力項目は、利用者が精算する精算金額が振り込まれる銀行のコード番号（金融機関を識別する識別番号）を入力する項目である。なお、銀行コード番号の入力項目は、銀行名および支店名の入力項目と置き換えてもよい。銀行口座番号の入力項目は、利用者が精算する精算金額が振り込まれる銀行の口座番号を入力する項目である。
【００９９】
シェア精算機１００は、初期登録画面７００を表示した顧客操作部１２０を介して全ての入力項目を受け付け、受け付けた情報を精算サーバ３００に送信する。精算サーバ３００は、シェア精算機１００から受信した情報を利用者管理情報として登録し、ＨＤＤ３１３等の記憶部に記憶する。利用者管理情報は、後で図８を用いて説明する。
【０１００】
図６（Ｂ）は、シェア精算機１００の顧客操作部１２０に表示される利用開始画面７１０の一例である。
利用開始画面７１０は、精算システムの利用者がシステムの利用を開始する際にユーザＩＤを入力する画面である。利用開始画面７１０は、顧客操作部１２０に表示されるトップ画面において、利用開始の操作メニューを選択した場合に表示される画面である。利用開始画面７１０は、利用者からユーザＩＤの入力を受け付ける入力項目を含む。ユーザＩＤの入力項目は、利用者を一意に識別する識別情報（ユーザＩＤ）を入力する項目である。
【０１０１】
シェア精算機１００は、利用開始画面７１０を表示した顧客操作部１２０を介してユーザＩＤを受け付け、受け付けた情報を精算サーバ３００に送信する。シェア精算機１００は、利用開始画面７１０でユーザＩＤを受け付けた後、新規の精算処理の受付画面の表示や、ユーザＩＤに対応した精算履歴情報の表示を行うことができる。新規の精算処理の受付画面において、利用者（図５におけるリーダー）は、顧客操作部１２０を介して精算金額、分担人数等を入力する。シェア精算機１００は、受け付けた精算金額、分担人数等を精算サーバ３００に送信する。なお、新規の精算処理の受付画面および精算履歴情報の表示については、図示を省略する。
【０１０２】
図６（Ｃ）は、シェア精算機１００の顧客操作部１２０に表示される分担金額入力画面７２０の一例である。
分担金額入力画面７２０は、精算システムを用いてメンバーから金銭を徴収する利用者（図５におけるリーダー）が精算処理を依頼する際に各メンバーの分担する金額を入力する画面である。分担金額入力画面７２０は、顧客操作部１２０に表示される利用開始画面７１０においてユーザＩＤの入力後、新規の精算処理の受付をした場合に表示される画面である。分担金額入力画面７２０は、利用者から受け付けた分担人数に応じて生成されたメンバー取引コードを表示し、メンバー取引コードごとに分担金額の入力を受け付ける入力項目を含む。
【０１０３】
分担金額の入力項目は、メンバー取引コードごとの分担金額を入力する項目である。なお、メンバー取引コードは、精算サーバ３００が利用者から受け付けた分担人数に応じて生成し、シェア精算機１００に通知される。
【０１０４】
シェア精算機１００は、分担金額入力画面７２０を表示した顧客操作部１２０を介してメンバー取引コードごとの分担金額を受け付け、メンバー取引コードごとの分担金額を精算サーバ３００に送信する。精算サーバ３００は、シェア精算機１００から受信したメンバー取引コードごとの分担金額を精算管理情報に登録し、ＨＤＤ３１３等の記憶部に記憶する。精算管理情報は、後で図９を用いて説明する。
【０１０５】
なお、図６（Ａ）（Ｂ）（Ｃ）は、いずれも顧客操作部１２０に表示される画面の一例であるが、端末２００のディスプレイに表示する画面であってもよい。端末２００は、それぞれの画面を表示し、受け付けた情報を精算サーバ３００に送信する。精算サーバ３００は、端末２００から受け付けた情報に応じて処理を実行する。
【０１０６】
次に、第２の実施形態のシェア精算機１００が表示する画面の一例について図７を用いて説明する。図７は、第２の実施形態のシェア精算機の表示画面の一例を示す図である（その２）。
【０１０７】
図７（Ａ）は、シェア精算機１００の顧客操作部１２０に表示される分担金額確認画面７３０の一例である。分担金額確認画面７３０は、精算システムを用いて分担する金額を支払う利用者（図５におけるメンバー）がメンバー取引コードを入力し、分担金額を確認する画面である。分担金額確認画面７３０は、顧客操作部１２０に表示されるトップ画面において、分担金額支払の操作メニューを選択した場合に表示される画面である。
【０１０８】
分担金額確認画面７３０は、利用者からメンバー取引コードの入力を受け付ける入力項目、分担金額表示領域７３１、支払方法選択領域７３２を含む。メンバー取引コードの入力項目は、メンバーが分担金額を支払う精算取引を識別する情報（取引コード）を入力する項目である。
【０１０９】
分担金額表示領域７３１には、メンバー取引コードに対応する分担金額が表示される。シェア精算機１００は、顧客操作部１２０を介してメンバー取引コードを受け付け、精算サーバ３００に送信する。精算サーバ３００は、受信したメンバー取引コードに対応する分担金額を、シェア精算機１００に送信する。シェア精算機１００は、受信した分担金額を分担金額確認画面７３０の分担金額表示領域７３１に表示する。
【０１１０】
支払方法選択領域７３２には、分担金額の支払方法を選択するためのボタンが表示される。支払方法は、たとえば、電子マネー、ポイント、現金、仮想通貨、クレジットカード等である。利用者は、顧客操作部１２０に表示された支払方法選択領域７３２に含まれる支払方法が表示されたボタンのうち、希望する支払方法を選択しボタンを押下する。利用者は、複数の支払方法から希望する支払方法を選択することができる。また、利用者は、分担金額確認画面７３０の次に表示される支払操作画面の指示に従い、支払方法に応じた支払操作（カードの読み取り、仮想通貨のアドレス入力、現金の投入等）を行う。なお、支払操作画面については、図示を省略する。
【０１１１】
シェア精算機１００は、受け付けた支払方法および支払操作を精算サーバ３００に送信する。精算サーバ３００は、受信した支払方法および支払操作に基づき、決済サーバ４００に決済処理の指示を行う。
【０１１２】
図７（Ｂ）は、シェア精算機１００の顧客操作部１２０に表示されるエラー確認画面７４０の一例である。エラー確認画面７４０は、分担金額確認画面７３０において支払方法で電子マネーを選択した後、電子マネーが残高不足である場合に表示される画面である。
【０１１３】
エラー確認画面７４０は、電子マネーの残高が不足である旨を説明するメッセージと、他の支払方法（たとえば、現金支払）を選択するボタンと、支払を中止する旨を選択するボタンとを含む。
【０１１４】
シェア精算機１００は、他の支払方法を選択するボタンが押下されたことを検知した場合、他の支払方法による分担金額の支払を受け付ける。シェア精算機１００は、支払を中止する旨を選択するボタンが押下されたことを検知した場合、分担金額の支払の操作を中止する。
【０１１５】
次に、第２の実施形態の利用者管理情報の一例について図８を用いて説明する。図８は、第２の実施形態の利用者管理情報の一例を示す図である。
利用者管理情報８００は、精算システムを利用する利用者を管理する情報である。なお、利用者管理情報８００は、精算を依頼する利用者（図５におけるリーダー）の登録情報のみを管理し、全ての利用者（図５におけるメンバー）を管理する必要はない。
【０１１６】
利用者管理情報８００は、精算サーバ３００がシェア精算機１００または端末２００から受信した利用者の登録情報を記憶した情報である。利用者管理情報８００は、精算サーバ３００からアクセス可能なデータベースやＨＤＤ３１３等の記憶部に記憶される情報である。
【０１１７】
利用者管理情報８００は、ユーザＩＤ、利用者名、メールアドレス、銀行コード番号、銀行口座番号、利用者取引履歴の項目を含む。ユーザＩＤの項目には、利用者を一意に識別する識別情報（ユーザＩＤ）が登録される。利用者名の項目には、利用者の氏名が登録される。メールアドレスの項目には、利用者にユーザＩＤや取引コードを通知する宛先（メールアドレス）が登録される。銀行コード番号の項目には、利用者が精算する精算金額が振り込まれる銀行のコード番号（金融機関を識別する識別番号）が登録される。なお、銀行コード番号の項目は、銀行名および支店名の項目と置き換えてもよい。銀行口座番号の項目には、利用者が精算する精算金額が振り込まれる銀行の口座番号が登録される。利用者取引履歴の項目には、利用者の取引の履歴情報が登録される。たとえば、利用者取引履歴の項目には、過去に利用者が精算システムを利用する際に用いた取引コードと、取引コードで識別される精算処理の受け付けをした日時である受付日時とを含む。
【０１１８】
ここで、利用者管理情報８００に含まれるエントリについて説明する。たとえば、利用者管理情報８００には、ユーザＩＤが「１０５０」、利用者名が「鈴木花子」、メールアドレスが「Ｓｕｚｕｋｉ＠ａｂｃ．ｃｏｍ」、銀行コード番号が「１２３４」、銀行口座番号が「９８７６５４３」という情報が登録される。また、利用者取引履歴の項目において、取引コードが「１０５０−０１００」、受付日時が「２０１８／８／６  １０：１０」という情報が登録される。
【０１１９】
これは、ユーザＩＤ「１０５０」の利用者について、利用者の氏名が「鈴木花子」であり、メールアドレスが「Ｓｕｚｕｋｉ＠ａｂｃ．ｃｏｍ」であり、精算金額が振り込まれる銀行コード番号が「１２３４」であり、銀行口座番号が「９８７６５４３」であることを示す。また、ユーザＩＤ「１０５０」の利用者について、利用者取引履歴の項目のうち、取引コード「１０５０−０１００」の精算取引について、受付した日時が「２０１８年８月６日１０時１０分」であることを示す。
【０１２０】
なお、利用者管理情報８００の利用者取引履歴の項目は、利用者が閲覧できる情報である。たとえば、精算サーバ３００は、端末２００を介してユーザＩＤとともに閲覧要求を受け付け、端末２００に対してユーザＩＤのエントリに含まれる利用者取引履歴に登録された情報を提示できる。利用者は、端末２００で実行するアプリやブラウザ等を利用し、精算サーバ３００が提示した利用者取引履歴の情報を閲覧できる。
【０１２１】
次に、第２の実施形態の精算管理情報の一例について図９を用いて説明する。図９は、第２の実施形態の精算管理情報の一例を示す図である。
精算管理情報８１０は、精算システムで実行される精算取引を管理する情報である。精算管理情報８１０は、精算サーバ３００からアクセス可能なデータベースやＨＤＤ３１３等の記憶部に記憶される情報である。
【０１２２】
精算管理情報８１０は、取引コード、ユーザＩＤ、受付日時、精算金額、分担人数、精算状態（人数、金額）、回収率（金額）の項目を含む。さらに、精算管理情報８１０は、メンバー情報の項目において、メンバー取引コード、分担金額、入金有無、入金日時、支払方法、金融機関番号の項目を含む。取引コードの項目には、精算を行う取引を識別する識別番号（取引コード）が登録される。ユーザＩＤの項目には、精算を依頼する利用者（図５におけるリーダー）を一意に識別する識別情報（ユーザＩＤ）が登録される。受付日時の項目には、取引コードで識別される精算処理の受け付けをした日時が登録される。精算金額の項目には、精算する精算金額が登録される。精算金額とは、メンバーが分担して支払う分担金額の総額でもある。分担人数の項目には、精算金額を分担して支払う人数が登録される。精算状態（人数、金額）の項目には、精算処理の状態として、分担金額を支払った人数と支払いが行われた分担金額の総額とが登録される。回収率（金額）の項目には、精算金額に対する支払いが行われた分担金額の割合が登録される。
【０１２３】
メンバー情報の項目には、精算金額を分担して支払いを行うメンバーの情報が登録される。メンバー取引コードの項目には、分担金額を支払う取引を識別する識別情報（メンバー取引コード）が登録される。メンバー取引コードは、言い換えると、メンバーごとの取引コードである。メンバー取引コードは、分担金額入力画面７２０において取引コード欄に表示される情報である。分担金額の項目には、精算金額を分担して支払う金額のうち、メンバー取引コードに対応する金額が登録される。入金有無の項目には、分担金額の入金が行われた場合に「有」、分担金額の入金が行われない場合に「無」が登録される。入金日時の項目には、分担金額の入金が行われた日時が登録される。支払方法の項目には、分担金額を支払う方法が登録される。金融機関番号の項目には、分担金額の支払方法に対応する金融機関の識別番号（金融機関番号、加盟店番号等を含む）が登録される。たとえば、利用者がポイントカードを用いて分担金額を支払う場合、シェア精算機１００は、カード部１３０を介してポイントカードの情報を読み取り、金融機関番号の項目に登録する。なお、精算管理情報８１０に含まれる項目は一例に過ぎず、その他の項目を含めてもよい。たとえば、メンバー情報の項目には、カードブランド名、カード番号、加盟店番号等の他の項目を含めてもよい。
【０１２４】
ここで、精算管理情報８１０に含まれるエントリについて説明する。たとえば、精算管理情報８１０には、取引コードが「１０５０−０１００」、ユーザＩＤが「１０５０」、受付日時が「２０１８／８／６  １０：１０」、精算金額が「３０００」、分担人数が「３」、精算状態（人数、金額）が「２、１５００」、回収率（金額）が「５０％」という情報が登録される。また、メンバー情報の最初のエントリには、メンバー取引コードが「１０５０−０１００−００１」、分担金額が「１０００」、入金有無が「有」、入金日時が「２０１８／８／６  １０：１５」、支払方法が「ポイント」、金融機関番号が「４３２１」という情報が登録される。
【０１２５】
これは、取引コード「１０５０−０１００」で識別される精算の取引について、ユーザＩＤ「１０５０」で識別される利用者によって依頼され、精算取引の受付日時が「２０１８年８月６日１０時１０分」であることを示す。また、精算金額が「３０００」円であり、分担人数が「３」人であり、分担金額を支払った人数が「２」人であり、支払いが行われた分担金額の総額が「１５００」円であり、精算金額に対する支払いが行われた分担金額の割合が「５０％」であることを示す。また、メンバー情報の最初のエントリについて、メンバー取引コード「１０５０−０１００−００１」で識別される精算の取引について、分担金額が「１０００」円であり、入金が行われている（入金有無「有」）ことを示す。また、分担金額について入金された日時が「２０１８年８月６日１０時１５分」であり、支払方法が「ポイント」であり、金融機関番号が「４３２１」であることを示す。
【０１２６】
なお、精算管理情報８１０の精算状態、回収率、メンバー取引コード、分担金額、入金有無、入金日時の項目は、利用者が閲覧できる情報である。たとえば、精算サーバ３００は、端末２００を介してユーザＩＤとともに閲覧要求を受け付け、端末２００に対してユーザＩＤのエントリに含まれる利用者取引履歴に登録された情報を提示できる。利用者は、端末２００で実行するアプリやブラウザ等を利用し、精算サーバ３００が提示した情報を閲覧できる。これにより、利用者（リーダー）は、どのメンバーがいつ支払いを行ったか、何人のメンバーが支払いを行ったか、立て替えた金額のうち回収できた金額がいくらか等の情報を適宜確認できるため、費用の回収に要する労力や時間を軽減できる。
【０１２７】
次に、第２の実施形態の情報処理システム６００において実行する精算処理について図１０を用いて説明する。図１０は、第２の実施形態の精算処理のシーケンスの一例を示す図である。
【０１２８】
精算処理は、精算サーバ３００が端末２００から精算処理の依頼を受け付け、シェア精算機１００を介して精算金額を分担した分担金額の入金を受け付け、決済処理を行い、利用者の銀行口座に振込を行う処理である。精算サーバ３００の制御部３１０（プロセッサ３１１）は、端末２００またはシェア精算機１００から処理の実行要求を受信し、利用者情報の登録処理や精算処理を実行する。
【０１２９】
なお、端末２００が実行する処理は、端末２００が備える制御部（プロセッサ）が実行する。シェア精算機１００が実行する処理は、シェア精算機１００が備える制御部１１０（プロセッサ１１１）が実行する。決済サーバ４００が実行する処理は、決済サーバ４００が備える制御部（プロセッサ）が実行する。銀行サーバ５００が実行する処理は、銀行サーバ５００が備える制御部（プロセッサ）が実行する。
【０１３０】
［ステップＳ１１］端末２００は、利用者（リーダー）から精算処理の要求と利用者情報の入力を受け付け、精算サーバ３００に送信する。なお、端末２００で実行されるアプリの機能として、精算処理の受付および利用者情報の入力を受け付けるユーザインタフェースの機能と、入力された情報を精算サーバ３００に送信する機能とを備えるものとする。
【０１３１】
なお、利用者（リーダー）が、既に利用者登録済みでありユーザＩＤを付与されている場合、精算処理の要求とユーザＩＤを入力する。この場合、端末２００は、精算処理の要求とユーザＩＤの入力を受け付け、精算サーバ３００に送信する。
【０１３２】
［ステップＳ１２］精算サーバ３００は、精算処理の要求と利用者情報を受信し、利用者情報を利用者管理情報８００に登録する。また、精算サーバ３００は、ユーザＩＤを生成し、利用者管理情報８００に登録するとともに、端末２００に送信する。
【０１３３】
なお、精算サーバ３００は、利用者情報ではなくユーザＩＤを受け付けた場合、利用者管理情報８００に既に登録されたユーザＩＤである場合、利用者情報の登録は行わない。また、ステップＳ１２において、端末２００からユーザＩＤを受信した場合、パスワードも合わせて受け付けることにより、精算サーバ３００において利用者の認証を行い、正当な利用者であることが確認できた場合に精算処理を進めることができる。
【０１３４】
［ステップＳ１３］端末２００は、精算金額と精算金額を分担する人数（メンバーの人数）の入力を受け付け、精算サーバ３００に送信する。
［ステップＳ１４］精算サーバ３００は、端末２００から情報を受信したことに伴い、取引コードを生成し、取引コード、ユーザＩＤ、精算金額、分担人数を精算管理情報８１０に登録する。また、精算サーバ３００は、端末２００から情報を受信した日時を受付日時として精算管理情報８１０に登録する。また、精算サーバ３００は、利用者管理情報８００のユーザＩＤに対応するエントリに含まれる利用者取引履歴の項目に、取引コードと受付日時とを登録する。
【０１３５】
なお、生成される取引コードには、リーダーが要求した精算処理を識別する取引コードと、各メンバーが分担金額を支払う取引を識別するメンバー取引コードとを含む。たとえば、精算サーバ３００が生成した取引コードが「１０５０−０１００」であり、分担人数が「３」人である場合について説明する。精算サーバ３００は、取引コードの値に分担人数に応じた枝番号を付与した値「１０５０−０１００−００１」、「１０５０−０１００−００２」、「１０５０−０１００−００３」をメンバー取引コードとして生成できる。
【０１３６】
［ステップＳ１５］精算サーバ３００は、生成した取引コード（取引コードおよびメンバー取引コード）を端末２００に送信する。
［ステップＳ１６］端末２００は、精算サーバ３００から生成した取引コード（取引コードおよびメンバー取引コード）を受信する。
【０１３７】
［ステップＳ１７］端末２００は、メンバー取引コードごとに分担金額の入力を受け付け、精算サーバ３００に送信する。
なお、上述のステップＳ１１，Ｓ１３，Ｓ１６，Ｓ１７の処理は、端末２００の処理として説明したが、シェア精算機１００がリーダーからの操作を受け付けることにより、ステップＳ１１，Ｓ１３，Ｓ１６，Ｓ１７の処理をシェア精算機１００で実行してもよい。たとえば、ステップＳ１１の処理をシェア精算機１００で実行する場合、シェア精算機１００は、顧客操作部１２０に初期登録画面７００を表示し、リーダーからの入力を受け付けることができる。また、ステップＳ１７の処理をシェア精算機１００で実行する場合、シェア精算機１００は、顧客操作部１２０に分担金額入力画面７２０を表示し、リーダーからの入力を受け付けることができる。
【０１３８】
［ステップＳ１８］精算サーバ３００は、端末２００から受信したメンバー取引コードごとの分担金額を精算管理情報８１０に登録する。
［ステップＳ１９］端末２００は、精算金額を分担して支払うメンバーに、メンバー取引コードと分担金額を通知する。たとえば、端末２００は、各メンバーのメールアドレスを端末２００のメモリ等の記憶部から読出し、各メンバー宛のメールでメンバー取引コードと分担金額とを通知する。
【０１３９】
なお、メンバーに対してメンバー取引コードと分担金額を通知する方法は一例に過ぎず、その他の方法でリーダーからメンバーに通知してもよい。たとえば、ステップＳ１１，Ｓ１３，Ｓ１６，Ｓ１７の処理をシェア精算機１００で実行した場合、シェア精算機１００が、メンバー取引コードと分担金額とを印刷したレシートをレシート部１４０から排出する。リーダーは、レシート部１４０から排出されたレシートをメンバーに配布することで、メンバー取引コードと分担金額をメンバーに通知できる。
【０１４０】
［ステップＳ２０］シェア精算機１００は、メンバーからメンバー取引コードの入力を受け付け、メンバー取引コードに対応する分担金額を表示し、分担金額の入金を受け付け、精算サーバ３００に入金を受け付けた旨の情報を送信する。具体的には、シェア精算機１００は、顧客操作部１２０に分担金額確認画面７３０を表示し、メンバー取引コードの入力を受け付け、分担金額を表示し、支払方法の選択を受け付ける。また、シェア精算機１００は、選択された支払方法（電子マネー、現金等）による入金を受け付ける。
【０１４１】
シェア精算機１００は、選択された支払方法および操作に応じた入金処理を実行する。たとえば、シェア精算機１００は、電子マネーを選択され、カード部１３０を介して電子マネーがチャージされたカードを読み取った場合、カードから読み取った情報に基づき各種サーバに問い合わせ、カードが利用可能か否かを判定できる。
【０１４２】
シェア精算機１００は、メンバー取引コード、支払方法、支払を完了した旨の情報を精算サーバ３００に送信する。また、シェア精算機１００は、カードを用いた入金処理の場合、カード部１３０で読み取ったカード情報も合わせて精算サーバ３００に送信できる。
【０１４３】
なお、シェア精算機１００は、電子マネーやカード等で支払いを選択したメンバーについて、電子マネーの残高不足やカードの利用が不可である場合、現金で分担金額の入金を受け付けることができる。この場合、シェア精算機１００は、顧客操作部１２０にエラー確認画面７４０を表示し、メンバーに対して現金での支払いを促すことができる。これにより、シェア精算機１００は、分担金額を早く確実に回収するよう図ることができる。また、シェア精算機１００は、現金での支払いを促し、分担金額を現金で回収することで、分担金額の支払い忘れを回避し、分担金額の回収率を高めるよう図ることができる。
【０１４４】
［ステップＳ２１］精算サーバ３００は、シェア精算機１００からメンバーの入金を受け付けた旨の情報を受信し、精算管理情報８１０にメンバーの入金に関する情報を登録する。入金に関する情報とは、精算管理情報８１０の項目のうち、精算状態、回収率、入金有無、入金日時、支払方法、金融機関番号の各項目である。
【０１４５】
また、精算サーバ３００は、メンバーから入金があった旨と、精算管理情報８１０のうち入金を行ったメンバーに付与されたメンバー取引コード、精算状態（人数、金額）、回収率をリーダーに通知する。なお、精算サーバ３００は、リーダーに通知する機能についてオプション機能とし、メンバーからの入金ごとに通知を希望する旨の登録をした利用者（リーダー）にのみ通知できる。
【０１４６】
ここで、精算管理情報８１０にメンバーの入金に関する情報を登録する処理についてさらに説明する。精算サーバ３００は、精算状態の項目のうち、人数に１を加算し、金額に入金金額を加算した値を登録する。精算サーバ３００は、精算金額に対する入金された金額の割合を求め、回収率として登録する。精算サーバ３００は、精算管理情報８１０に含まれる分担金額を入金したメンバー取引コードに対応するエントリについて、入金有無に「有」を登録する。また、精算サーバ３００は、入金日時にシェア精算機１００から情報を受信した日時を登録し、支払方法にメンバーが選択した支払方法を登録する。また、精算サーバ３００は、金融機関番号に、カード部１３０で読み取ったカード情報を登録する。
【０１４７】
［ステップＳ２２］精算サーバ３００は、メンバーの決済情報を決済サーバ４００に送信する。具体的には、精算サーバ３００は、ステップＳ２１で精算管理情報８１０に登録した支払方法、金融機関番号、分担金額を決済サーバ４００に送信する。
【０１４８】
［ステップＳ２３］決済サーバ４００は、精算サーバ３００から受信したメンバーの決済情報に基づき、決済処理を実行する。また、決済サーバ４００は、決済処理に伴い、メンバーに付与するポイントが発生した場合、メンバーにポイントを付与する。
【０１４９】
［ステップＳ２４］決済サーバ４００は、精算システムの利用に応じた手数料を精算システムの運営口座に振込し、決済処理の完了および手数料振込の通知を精算サーバ３００に送信する。
【０１５０】
［ステップＳ２５］精算サーバ３００は、決済処理の完了および手数料の振込を決済システム履歴情報に登録する。なお、決済システム履歴情報は、図示を省略する。
精算サーバ３００は、ステップＳ２０からステップＳ２５までの処理を分担金額の支払を行うメンバーごとに実行する。精算サーバ３００は、メンバー全員から入金を受け付けた場合、ステップＳ２６にすすむ。
【０１５１】
精算サーバ３００は、所定期日（たとえば、受付日時から１週間以内）にメンバー全員から入金を受け付けていない場合、未払いのメンバーのメンバー取引コードと分担金額と未払いである旨をリーダー（端末２００）にアプリの機能やメール等で通知する。精算サーバ３００は、リーダー（端末２００）から未払いメンバーが存在する旨について承認する通知をアプリやブラウザの機能等で受け付けた場合、ステップＳ２６にすすむ。
【０１５２】
［ステップＳ２６］精算サーバ３００は、リーダーの銀行口座に精算金額を振り込む指示を銀行サーバ５００に送信する。精算サーバ３００は、利用者管理情報８００からリーダーのユーザＩＤに対応する銀行口座番号を取得し、精算金額とともに銀行サーバ５００に送信する。
【０１５３】
なお、精算サーバ３００は、メンバー全員からの入金を受け付けている場合、精算金額全額の振込指示を行う。また、精算サーバ３００は、メンバーのうち未払いのメンバーが存在する場合、既に支払いがされた金額についての支払指示を行う。
【０１５４】
［ステップＳ２７］銀行サーバ５００は、リーダーの銀行口座に精算金額を振り込む処理を実行する。
［ステップＳ２８］銀行サーバ５００は、精算システムの利用に応じた手数料を精算システムの運営口座に振込し、精算金額の振込完了および手数料振込の通知を精算サーバ３００に送信する。
【０１５５】
［ステップＳ２９］精算サーバ３００は、精算金額の振込完了および手数料の振込を決済システム履歴情報に登録する。
［ステップＳ３０］精算サーバ３００は、精算金額の振込完了をリーダーにメールで通知し、処理を終了する。
【０１５６】
なお、ステップＳ２４にて、決済サーバ４００が精算システムの利用に応じた手数料を精算システムの運営口座に振り込んでいるが、この手数料の振込処理と振込通知を行うのは、精算サーバ３００であってもよい。この場合、ステップＳ２２にて、精算サーバ３００がメンバーの決済情報を決済サーバ４００に送信する際に、精算システムの利用に応じた手数料を、決済サーバ４００の運営口座に振り込みを行い、手数料振込の通知を決済サーバ４００に送信する。
【０１５７】
また、ステップＳ２８にて、銀行サーバ５００が精算システムの利用に応じた手数料を精算システムの運営口座に振り込んでいるが、この手数料の振込処理と振込通知を行うのは、精算サーバ３００であってもよい。この場合、ステップＳ２６にて、精算サーバ３００がリーダーの銀行口座に精算金額を振り込む指示を銀行サーバ５００に送信する際に、精算システムの利用に応じた手数料を、銀行サーバ５００の運営口座に振り込み、手数料振込の通知を銀行サーバ５００に送信する。
【０１５８】
このように、精算サーバ３００は、利用者（リーダー）から精算処理の依頼を受け付け、精算金額を分担して支払う利用者（メンバー）から分担金額の入金を受ける処理を管理できる。また、情報処理システム６００は、利用者からの分担金の徴収に際し、電子マネーやクレジットカード等の現金以外の入金も受け付けることが可能であるため、従来の個人間における現金のみの集金と比較して利便性が向上する。これにより、個人間における分担金額の支払や、町内会費や自治会費の徴収など、複数人から集金を行う場合における労力や時間を低減できる。
【０１５９】
こうして、情報処理システム６００および精算サーバ３００は、複数人から分担金額を徴収し管理することができる。
なお、上記の処理機能は、コンピュータによって実現することができる。その場合、精算機１０、シェア精算機１００、情報処理装置３０および精算サーバ３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ（Magneto-Optical disk）等がある。
【０１６０】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１６１】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１６２】
また、上記の処理機能の少なくとも一部を、ＤＳＰ、ＡＳＩＣ、ＰＬＤ等の電子回路で実現することもできる。
【符号の説明】
【０１６３】
１０  精算機
１１，３１  制御部
１２  表示受付部
１３  カード受付部
１４  現金受付部
２０ａ，２０ｂ，２０ｃ  端末
３０  情報処理装置
３２  記憶部
４０  決済情報処理装置
５０  銀行情報処理装置
９０  情報処理システム
【図１】
2020052878.tif 000003
【図２】
2020052878.tif 000004
【図３】
2020052878.tif 000005
【図４】
2020052878.tif 000006
【図５】
2020052878.tif 000007
【図６】
2020052878.tif 000008
【図７】
2020052878.tif 000009
【図８】
2020052878.tif 000010
【図９】
2020052878.tif 000011
【図１０】
2020052878.tif 000012